(57)【要約】【課題】除水時に傘挿入口からの水滴の噴出がなく、設置時の床占有床面積が小さく、使用者が容易に傘を挿入することができ、子供など身長が低くい場合でも使い勝手がよい傘除水機を得る。【解決手段】  箱体の上部に箱体の側部に傾斜して繋がる傾斜部と、傾斜部に設けられた傘挿入口と、箱体の上部に設けられ傘の上部を保持する上部保持部と、傘の石突を受ける石突保持部と、上部保持部と石突保持部で保持される傘に向かって高速空気を噴出するノズルとを備えた傘除水機。【選択図】図１
2011075210.tif 000002
【特許請求の範囲】
【請求項１】
箱体の上部に前記箱体の側部に傾斜して繋がる傾斜部と、前記傾斜部に設けられ窄められた状態の傘を挿入する傘挿入口と、前記箱体の上部に設けられ前記傘挿入口と繋がるとともに前記傘挿入口から離れた位置に前記傘挿入口から挿入される前記傘の上部を保持する上部保持部と、前記箱体に設けられ前記傘挿入口から挿入される前記傘の石突を受ける石突保持部と、前記上部保持部と前記石突保持部で回転可能に保持される前記傘に向かって空気を噴出する前記箱体に設けられたノズルとを備えていることを特徴とする傘除水機。
【請求項２】
前記傘挿入口が前記上部保持部より下に位置することを特徴とする請求項１に記載の傘除水機。
【請求項３】
前記上部保持部と前記石突保持部で回転可能に保持される前記傘は概ね鉛直方向であることを特徴とする請求項１又は請求項２のいずれかに記載の傘除水機。
【請求項４】
前記傘挿入口の中心高さは１１００ｍｍ以下であることを特徴とする請求項１又は請求項２又は請求項３のいずれかに記載の傘除水機。
【請求項５】
前記傾斜部の傾斜方向にある前記箱体の側部と、前記上部保持部の中心との水平方向の距離は３５０ｍｍ以下であることを特徴とする請求項１から請求項４のいずれかに記載の傘除水機。
【請求項６】
前記傘挿入口は鉛直方向より概ね４５°傾いていることを特徴とする請求項１から請求項５のいずれかに記載の傘除水機。
【発明の詳細な説明】
【技術分野】
【０００１】
本発明は傘に付着した水滴を除去する傘除水機に関するものである。
【背景技術】
【０００２】
従来の傘除水機においては、傘除水機への傘の挿入姿勢と傘の除水時の姿勢を変えているものとして例えば特開２００５−３３７６２４号公報に開示されている。この開示された傘除水機は、箱体と、箱体上面に設けられ傘を挿入するための傘挿入口と、箱体内部に設けられた傘挿入口から挿入された傘の石突から露先に向かって高圧空気を噴出するノズルとを有する除水室と、除水室下方に設けられた水を受けるタンクを備え、傘挿入口へ傘を挿入し、傘挿入口と連絡口を介して連結した傘収納口へ傘を移動すると、空気流発生装置が運転を始め、濡れた傘を除水させることができる。傘を除水させるには、傘の布が襞状になっているため折り重なりあった襞状の間にも高速空気を当てる必要があることから、傘の石突付近から傘の露先に向かって襞状の折り目方向に沿って高速空気噴出させる必要があるが、そのままでは噴出された高速空気の方向の延長上に傘挿入口があり空気とともに除水時の水滴が傘挿入口から噴出してしまうため、傘の姿勢を傘挿入時の姿勢と変えることで、ノズルからの高速空気が傘の石突から露先に向かって流れてもその流れの延長上に傘挿入口が位置せず、傘挿入口から水滴が噴出することを防止している。
【０００３】
また、傘を十分に除水させるためには、折り重なった傘の布が自由に開くように開放された空間の除水室に傘を配置し、できるだけ傘の石突付近から露先に向かって高速空気を噴出させるように、高速空気を噴出させるノズルに対し傘を所定の位置に確保することが必要である。従来の傘除水機においては、傘の石突で傘を保持しているものとして例えば特開平７−３２４８５９号公報に開示されている。開示された傘除水機では、プラスチック脱水ドラムの上端にガイドレールを介して設けた傘の長さによって調整される石突先端ストッパーが設けられ、傘の石突を石突先端ストッパーに差し込みそのまま押し込むと、脱水ドラム内部に装着したガイドレールに沿ってストッパーがドラム下部に移動し傘の長さのみ脱水ドラムに入るため、傘先端の位置を確保している。
【０００４】
したがって、傘の挿入姿勢と傘の除水時の姿勢を変えている従来の除水機としては、箱体の上面に傘挿入口を設け、傘の石突を保持する石突保持部を傘の挿入口付近から傘除水機の奥に移動可能に設け傘の石突を保持する傘除水機が考えられ、除水時には傘挿入口から水滴が飛び出すことなく、石突保持部によりノズルに対し挿入された傘を所定の位置に確保し傘の石突付近に向かって高速空気を噴出させ除水することができる。
【先行技術文献】
【特許文献】
【０００５】
特開２００５−３３７６２４号公報（３−５頁、第図４）
特開平７−３２４８５９号公報（２頁、第１図−第３図）
【発明の概要】
【発明が解決しようとする課題】
【０００６】
しかし、このような従来の傘除水機では、傘挿入口が上面に設けられて上方に向いているため、傘を水平に近い角度で挿入しようとすると非常に挿入しづらく、傘を鉛直近くに立てて挿入する必要があるため傘からの雫が使用者にかかったり、鉛直角度近くから挿入しようとして手が届かないために傘を持ち替えるとき傘布を握ってしまい手が濡れてしまうという問題点があった。また、傘を収納するとともに、効果的な除水性能を得るために傘の石突付近から傘の露先に向かって襞状の折り目方向に沿って高速空気噴出させるための高速空気を噴出するノズルやノズルに空気を供給する風路等を傘より下に配置する必要があるため、箱体上面はある程度の高さが必要であった。そのため、箱体の上面に設けられている傘挿入口から傘を挿入しようとすると、通常の大人ならば特に支障はないが子供などの背が低い人が使用する場合には、傘挿入口の位置が高すぎて傘挿入口や除水中の傘の状態が見えず、非常に使い勝手が悪いという問題点があった。また、傘を挿入姿勢から除水時の姿勢に変えるとき、挿入姿勢よりも除水時の姿勢が使用者にとって奥になっているときには、使用者から傘が離れるように前方に傘を移動させる必要があり、子供などの背が低い人が使用する場合には、手が届かず傘を除水時の姿勢に移動できないという問題点があった。
【０００７】
この発明は、上述のような課題を解決するためになされたもので、第１の目的は、傘の挿入性を向上させ、更に子供などの背が低い人が使用する場合でも、使い勝手のよい傘除水機を得るものである。第２の目的は、占有床面積を小さくして設置性を向上させた傘除水機を得るものである。
【課題を解決するための手段】
【０００８】
この発明に係る傘除水機においては、箱体の上部に箱体の側部に傾斜して繋がる傾斜部と、傾斜部に設けられ窄められた状態の傘を挿入する傘挿入口と、箱体の上部に設けられ傘挿入口と繋がるとともに傘挿入口から離れた位置に傘挿入口から挿入される傘の上部を保持する上部保持部と、箱体に設けられ傘挿入口から挿入される傘の石突を受ける石突保持部と、上部保持部と石突保持部で回転可能に保持される傘に向かって空気を噴出する箱体に設けられたノズルとを備えたものである。
【発明の効果】
【０００９】
この発明は、傘の挿入性を向上させ、更に子供などの背が低い人が使用する場合でも使い勝手のよい傘除水機を得るものである。
【図面の簡単な説明】
【００１０】
【図１】この発明の実施の形態１を示す傘除水機の側面断面図である。
【図２】この発明の実施の形態１を示す傘除水機の側面断面図である。
【図３】この発明の実施の形態１を示す傘除水機の正面断面図である。
【図４】この発明の実施の形態１を示す傘除水機の上面部分拡大図である。
【図５】この発明の実施の形態１を示す傘除水機の背面部分断面図である。
【図６】この発明の実施の形態１を示す傘除水機の除水姿勢の概観斜視図である。
【図７】この発明の実施の形態１を示す傘除水機の箱体の上部を開いた状態の概観斜視図である。
【図８】この発明の実施の形態１を示す傘除水機の傘の挿入動作を説明する説明図である。
【図９】この発明の実施の形態１において身長の低い使用者が傘除水機を使用する状況を説明する説明図である。
【図１０】この発明の実施の形態１を示す傘除水機の箱体の別の形状を示す側面図である。
【図１１】この発明の実施の形態１を示す傘除水機の箱体の別の形状を示す側面図である。
【発明を実施するための形態】
【００１１】
実施の形態１．
【００１２】
図１はこの発明を実施するための実施の形態１における傘除水機の側面断面図である。最初に傘除水機によって水滴を除去される傘１について説明する。代表的な傘１は、中棒１ａ、手元（持ち手部）１ｂ、石突１ｃ、親骨１ｄ、傘布１ｅを有して構成される。中棒１ａは、その両端に手元１ｂと石突１ｃとが取り付けられて、傘１の中心に位置する軸部材である。手元１ｂは傘１の利用者が持つ持ち手部分（柄）である。石突１ｃは、傘１の先端に取り付けられて傘布１ｅをまとめる機能を有する。親骨１ｄは中棒１ａの石突１ｃ近傍に複数本軸支されている。傘布１ｅは親骨１ｄの間を覆う布状の部材である。親骨１ｄの先端（自由端）側を露先１ｆという。なお、傘の開閉機構等についての詳細な説明は省略する。この発明において、傘布１ｅのおもて面とは、傘１を差した場合に雨を受ける面のことであり、傘１を窄めた状態においては外側を向く面のことである。
【００１３】
次に傘除水機について説明する。傘除水機２は、その外郭を形成し金属の薄板や合成樹脂等で構成される箱体３と、箱体３の上部には傾斜部３ａを設け、その傾斜部３ａに斜め上方に略円形に開口し窄めた状態の傘１を出し入れするための傘挿入口４と、傘挿入口４から窄めた状態で挿入された傘１を収納し傘布１ｅに付着している水滴を除水するための除水室５と、除水室５の下方には除水するために高圧空気を発生させる送気室６が設けられ、箱体３の底部には除水された水滴を排水するための排水室７が設けられている。傘挿入口４の水平方向に対する開口角度θは、概ねθ≒４５°で、箱体３の上部で傘挿入口４の近傍で傘挿入口４より高い位置に傘挿入口４より小さな開口で除水時に傘１の中棒１ａまたは手元１ｂの直線部分を回転可能に保持する上部保持部８と上部保持部８と傘挿入口４を連通させる連通部９が設けられている（ここでの開口角度θとは、傘挿入口４の開口外周を概ね通る平面に対する垂直軸が水平方向となす角度を指す）。また、送気室６は隔壁３ｂにより除水室５と区画され、送気室６の内部には高圧空気を発生させるブロワ１０が設けられ、隔壁３ｂには除水室５と送気室６とを連通させる楕円形または円形または長円形の開口をもつノズル１１（高速空気噴出部）が設けられ、ブロワ１０で生成された高圧空気を高速空気に変換して除水室５内に噴出させる。なお、傾斜部３ａは平面でなくても曲面形状でもよい。
【００１４】
除水室５には傘挿入口４より挿入された傘１の先端である石突１ｃを収容し回転可能に保持する凹形状の石突保持部１２が設けられ、傘挿入口４より挿入された傘１は、除水室５へ挿入完了後、傘１の手元１ｂの直線部または中棒１ａを、連通部９を経由して上部固定部８へ移動させることで、ほぼ鉛直方向に姿勢が変化して石突保持部１２と上部保持部８を結ぶ直線である回転中心軸Ａを概ね中心に回転可能に保持される（以降、この回転中心軸Ａに傘が回転可能に軸支持され保持されている状態を除水姿勢と呼ぶ）。したがって、概ね回転中心軸Ａ上で傘１を３６０°回転することができる。なお、傘１の種類によって中棒１ａや手元１ｂや石突１ｃの太さが異なり、多数の種類の傘１を回転可能に保持するために、上部保持部８は中棒１ａや手元１ｂの太さより大きくし、石突保持部１２も石突１ｃの太さより大きくして余裕を設けている。したがって上部保持部８と石突保持部１２で傘１を回転可能に保持している除水姿勢時は、正確にはその余裕の範囲で傘１が回転中心軸Ａより僅かに傾くが、除水性能には全く影響せず、この僅かな傾きも含めて回転中心軸Ａとする。また箱体３の内側で傘挿入口４の周辺には傘挿入口４に向かってテーパ部１３が設けられており、傘１を傘挿入口４から抜取るときに、露先１ｆが引っかからずに傘挿入口４の外に滑って出てくるようにしている。
【００１５】
図１内の矢印は、傘布１ｅを除水する場合のノズル１１から噴出された高速空気の流れを示す。ノズル１１の空気噴出方向と回転中心軸Ａはほぼ平行であり、除水時には、高速空気はノズル１１から除水姿勢の傘１の石突１ｃに向かって回転中心軸Ａにほぼ平行に噴出され、石突１ｃ側から露先１ｆ側に向かって流れ、傘布１ｅのおもて面に付着した水滴を吹き飛ばして除水する。空気噴出方向と対向する箱体３の上面内側には衝突した高速空気の一部の風向きを変え傘布１ｅの内部へ空気を送り込むための突起５０が設けられている。傘布１ｅ内部へ空気が送り込まれることで傘布１ｅが膨らみ、閉じられた状態の傘１の襞状の折り重なった傘布１ｅの重なりが解消され、傘布１ｅ全体に高速空気を吹き付けることができ除水性能を向上させている。除水姿勢時のノズル１１の噴出し方向と傘１を回転可能に固定される回転中心軸Ａとの距離ＬはＬ＝１０〜１００ｍｍの範囲内で、ノズル１１から噴出される高速空気流には多少の広がりを持たせることで、石突１ｃから露先１ｆに至るまで傘布１ｅ全体に高速空気を十分に当てることができるようになっている。
【００１６】
石突保持部１２は、石突１ｃの大きさに比べて大きな凹形状で、その中心である底部１２ａ（図２参照）と、底部１２ａに向かって傾斜し細くなる窄まり部１２ｂのあるすり鉢状の形状で、傘１を挿入していく過程において自然に石突保持部１２の中心位置である底部１２ａに石突１ｃが位置されるようになっている。そのため傘１を挿入したとき、特段の注意をはらわなくても石突１ｃを石突保持部１２で受けることができ、除水姿勢時には自然に石突保持部１２の中心である底部１２ａに石突１ｃを位置させることができる。また石突保持部１２にはノズル１１に面する側の凹形状の壁のみノズル１１からの空気噴出方向と平行な形状で他の凹形状の壁である窄まり部１２ｂに比べ急角度で立ち上げた立上部１２ｃ（図２参照）があり、石突保持部１２の中心からの外形寸法を小さくすることで、ノズル１１からの噴流が石突保持部１２で邪魔されることなく傘布１ｅに当てている。なお、石突保持部１２は基本的には傘１の石突１ｃを回転可能に保持できればいいので、穴形状であってもよい。
【００１７】
ノズル１１の位置は、傘挿入口４側からみて、除水姿勢の回転中心軸Ａよりも奥に設けられている。また、ノズル１１からの高速空気の噴出方向の延長上に傘挿入口４や連通部９が位置しないように設けられ、傘挿入口４や連通部９の開口に直接向かないように配置されている。また、ノズル１１の上部先端はブロワ１０設置位置よりも低い位置に設けられているため、ノズル１１から多量の水が浸入して送気室６内に水が充満しても、ノズル１１の高さ以上には水が溜まらないので、ブロワ１０が浸水することはない。
【００１８】
箱体３の底部の排水室７には排水タンク１４が配置されている。除水室５内には傘布１ｅから吹き飛んだ水滴が排水タンク１４へと誘導されるガイド（図示せず）や傾斜が設けられている。ノズル１１から噴出された高速空気によって傘布１ｅから吹き飛ばされた水滴は除水室５内の側壁や隔壁３ｂなどに付着するが、水滴径が一定以上の大きさに達すると箱体３の底部に向かって自然に流下し、ガイドや傾斜に沿い排水タンク１４に向けて落下する。排水タンク１４に水が溜まった場合には、排水タンク１４を傘除水機２から取り出して溜まった水を捨てることができる。この実施の形態１においては、箱体３の側部３ｄである正面（使用者側の面）から排水タンク１４を取出すことができる構成であるが、それ以外の箱体３の側部３ｄである側面や背面から取出す構造としてもよい。また傘布１ｅから吹き飛ばされた水滴を排水タンク１４に一旦溜めているが、排水ポンプと排水管などを接続し、水滴を溜めることなく傘除水機２の外へ直接排水できるようにしてもよい。排水タンク１４に溜まった水をわざわざ捨てる必要がなくなり便利である。また、超音波霧化またはヒータまたはブロワ１０の排熱を利用した蒸発や、送風による気化促進により水分を傘除水機２外へ排出するようにしてもよい。排水タンク１４に溜まる水量を減少させることができ、水を捨てる作業の頻度を少なくすることができる。
【００１９】
図２は、この発明を実施するための実施の形態１における傘除水機２の側面断面図で、石突保持部１２の動きを説明するための説明図で、図２の中のａは傘１がまだ傘挿入口４に挿入されていない状態（以降、待機状態と呼ぶ）の状態を示し、図２の中のｂは傘１が挿入された除水姿勢時の状態を示している（図を見やすくするため傘１は省略してある）。図３はこの発明を実施するための実施の形態１における傘除水機２の正面断面図で、図２の中のｂの回転中心軸Ａを通る正面断面図で、傘用ガイドレール１５に沿った可動部を説明するための説明図である。従って、石突保持部１２や可動部の動きの説明に不要な部分については、省略してある。図２および図３において、除水室５の内側で箱体３の側部３ｄである両側面の内面には一対の傘用ガイドレール１５と一対のおもり用ガイドレール１６が対向して各々設けられている。また除水姿勢の回転中心軸Ａがノズル１１の空気噴出方向と概ね平行で、傘用ガイドレール１５も直線状でノズル１１の空気噴出方向と概ね平行となるように設けられている。箱体３の側部３ｄである両側面の内側に対向して設けられた傘用ガイドレール１５には、それぞれ傘用ブラケット１７が取り付けられ、傘用ガイドレール１５に沿って移動可能で、それぞれの傘用ブラケット１７は、連結部材１８によって互いに連結されているため、２つの傘用ブラケット１７と連結部材１８とが一体となって移動となっている。
【００２０】
石突保持部１２は連結部材１８のほぼ中央に石突保持部１２の向きを変更させる石突保持部向変更手段としての蝶番１９を介して締結されており、傘用ブラケット１７、連結部材１８とともに傘用ガイドレール１５に沿って移動可能となっている。石突保持部１２の側面で傘挿入口４側の位置には金属片２０を備え、重心が蝶番１９の回転軸よりも傘挿入口４側となっており、待機状態においては、連結部材１８上で蝶番１９の回転軸を中心として傘挿入口４側に自然に倒れ、石突保持部の凹形状が傘挿入口４にほぼ正対している。なお、一体となって傘用ガイドレール１５に沿って移動する石突保持部１２、傘用ブラケット１７、連結部材１８、蝶番１９をまとめて移動部と呼称する。また、傘用ガイドレール１５と傘用ガイドレール１５に沿って移動する傘用ブラケット１７と連結部材１８は石突保持部１２を移動させることができる移動手段として機能する。
【００２１】
箱体３の側部３ｄである両側面の内面に対向して設けられたおもり用ガイドレール１６には、それぞれおもり用ブラケット２１が取り付けられ、おもり用ブラケット２１にはおもり２２が設けられ、一体となっておもり用ガイドレール１６上を移動する。傘用ブラケット１７とおもり２２とがケーブル２３により滑車２４を介して連結されている。従って、傘用ブラケット１７の動きとおもり２２の動きは連動し、例えば、おもり２２が下方に移動すれば、傘用ブラケット１７を含む移動部は上方に移動する。
【００２２】
おもり２２の重さは、傘用ブラケット１７、連結部材１８、石突保持部１２等の自重により傘用ガイドレール１５の下方に移動しようとする力よりも、おもり用ブラケット２１、おもり２２自重によりおもり２２が下方に移動しようとする力の方が大きくなるように調節されている。おもり２２が下方に移動することで移動部は上方へ移動し傘用ガイドレール１５上端部に設けられたストッパー（図示せず）の位置で停止する。石突保持部１２の移動や姿勢変化をおもり２２と金属片２０の重力作用により行っているため、構造が簡単で電気的な駆動を必要とせず消費電力の抑制や製造コストの抑制を図ることができる。図２のａの待機状態では、石突保持部１２が傘挿入口４とほぼ正対して傘挿入口４の開口部の大部分を石突保持部１２で覆っている。使用者は傘挿入口４から石突１ｃを挿入しさえすれば、石突保持部１２の中心位置に石突１ｃを位置させることができ、石突１ｃによる力で石突保持部１２は上向きに（回転中心軸Ａの方向）に向きが変わる。傘１の挿入にともなって石突保持部１２が傘１の石突１ｃ等で押し込まれれば、石突保持部１２に傘１の石突１ｃが接触したまま、おもり２２による付勢力に抗して石突保持部１２が押し下げられる。なお、おもり２２の重さは、傘１が露先１ｆまで挿入された状態において、石突保持部１２が挿入されている傘１を自然に持ち上げ上方へ移動させてしまうことのない重さに調節されている。図２のｂの除水状態では（傘１は省略してある）、図石突保持部１２の向きは除水姿勢では部保持部５と正対する向きになっている。
【００２３】
図４は、この発明を実施するための実施の形態１における傘除水機２の上部保持部８付近の上面部分拡大図である。一般的な中棒１ａの下限はφ１０ｍｍ程度であり、手元１ｂの上限はφ２５ｍｍ程度である（ただし、折りたたみ傘を除く）ため、上部保持部８の大きさをφ３０ｍｍ程度の円筒が入る大きさとし、上部保持部８の連通部９側には板バネなどを用いて開口幅を可変できる凸部８ａを設け、フリー状態では凸部開口幅Ｂは１０ｍｍ以下であるが力を加えれば３０ｍｍ程度まで開口幅が大きくなるように構成すれば、さまざまな径を持つ傘でも凸部８ａを通過させ除水時に上部保持部８で回転可能に軸支持し除水姿勢に保持することができる。連通部９の開口幅Ｃは、上部保持部８と同等の３０ｍｍ程度としても良いし、傘挿入口４から上部保持部８への移動を容易にするため、例えば４０ｍｍ程度まで広くしても問題なく、また連通部９の傘挿入口４付近を４０ｍｍで上部保持部８付近を３０ｍｍにして除々に幅を狭めてもよい。上部保持部８はノズル１１の空気噴出軸の延長上の近傍に設けられている。
【００２４】
図５は、この発明を実施するための実施の形態１における傘除水機２の送気室６付近の背面から見た部分断面図である。箱体３の側部３ｄである側面には外部の空気を吸い込む吸込口２５が形成され、送気室６内のブロワ１０の吸い込み側につながっている。ブロワ１０が運転状態になると、ブロワ１０の作用により、吸込口２５から空気が取り込まれる。吸込口２５にはエアフィルタ（集塵手段）２６が設けられ吸込口２５から取り込まれる空気から埃やゴミ等の異物を取り除き、傘除水機２内部の汚れや故障を防止する。またブロワ１０の吸込側周辺には吸音材２７が貼り付けられ、ブロワの騒音や通過する空気によって生じる騒音が吸込口２５から外部に漏れるのを抑える。ブロワ１０は、防振機能を持ち合わせたパッキン２８と防振部材２９とによって挟持されている。そのためブロワ１０の運転時、ブロワ１０の吸込口に対しブロワ１０の噴出し側は高圧となるが、パッキン２８により高圧側から低圧側への空気漏れを防止しするとともに、ブロワ１０の運転による振動をパッキン２８及び防振部材２９によって吸収して傘除水機２への振動の伝播を防止し、傘除水機２の振動による騒音の発生を抑制することができる。
【００２５】
図６は、この発明を実施するための実施の形態１における傘除水機２の除水姿勢の概観斜視図であり、図７は傘除水機２の箱体３の上部を開いた状態の概観斜視図である。図６に示すように上部保持部８と連通部９とは箱体３の一部として開閉可能に締結された箱体の蓋部３ｃに設けられており、図７に示すように開閉可能なので、除水作業中に何らかの原因でジャンプ傘の開閉機構が誤動作し、傘が開いてしまったなど傘が抜き出せなくなった場合や、物を落としたり、故意に物を落とされた場合などに容易に取出しが可能であり、また除水室５内の清掃や部品交換などメンテナンスも容易に行うことできる。
【００２６】
次に、傘除水機２の動作について説明する。図８は、この発明を実施するための実施の形態１における傘除水機２の傘１の挿入動作を説明する側面断面の説明図であり、図８のａは傘１の挿入開始時を示し、図８のｂは挿入途中を示し、図８のｃは挿入完了時を示し、図８のｄは除水時の除水姿勢を示している。図８において、使用者が濡れた傘１を窄めた状態で傘挿入口４から傘１を挿入し、石突１ｃを石突保持部１２に挿入する（図８のａ）。図８では傘挿入口４の開口方向である水平面に対し４５°の方向から傘１を挿入しているが、石突保持部１２の高さが傘挿入口４とほぼ同じ高さに位置し、石突保持部１２が傘挿入口４に向いて傾斜し、すり鉢状の石突保持部１２の傘挿入口４側の側面がほぼ水平であるため、使用者が普通に動作したとき傘１を挿入しやすい水平面に対し概ね０〜４５°の範囲では石突保持部１２の底面１２ａまで石突１ｃを突き当てることができる。また、水平面に対し４５°〜９０°で挿入されても石突保持部の底面１２ａには直接当てる事はできないが石突保持部１２の凹形状で傘１の石突１ｃを受けることができる。したがって水平面に対し概ね０°〜９０°の挿入角度に対応することができ、使用者の背の高さや傘１の長さに応じて、使い勝手のよい角度で挿入可能である。
【００２７】
傘１を除水室５内へ挿入していくと、親骨１ｄと傘布１ｅは傘挿入口４の径にあわせて中棒１ａの方向へ更に窄まる（図８のｂ）。傘挿入口４にから傘１の露先１ｆまでが除水室５内に収まるまで挿入した後（図８のｃ）、傘１の手元１ｂの直線部または中棒１ａを、連通部９および凸部８ａを経由して上部保持部８へ移動させることで、傘１はノズル１１から所定の距離を隔てた位置に上部保持部８と石突保持部１２で回転可能に軸支され、除水姿勢に保持される（図８のｄ）。傘１を挿入するとともに石突保持部１２が傘用ガイドレール１５に沿って鉛直下方へと移動した時点で自然に除水姿勢（床面に対して９０°）に近づいているため、除水姿勢に近づいた傘１を上部保持部８へ移動させる動作は極めて容易に短時間で行うことができる。
【００２８】
使用者が傘除水機２の運転スイッチ（図示せず）を押すとブロワ１０が動作し、ブロワ１０の内部に保持されたファン（図示せず。）が回転し、吸込口２５から空気が吸込まれブロワ１０により高圧空気が生成される。ブロワ１０から吐出される空気量に比べてノズル１１の開口面積が小さいためノズル１１から除水室５に高速空気が噴出される。ノズル１１から除水室５に噴出された高速空気は傘１の石突１ｃ側から露先１ｆ側に向かって流れ傘布１ｅのおもて面に付着した水滴を吹き飛ばす。使用者が箱体３の外部に突出している傘１の手元１ｂを３６０°回転させることで、回転中心軸Ａ上で傘が回転し、傘布１ｅ全体に付着した水滴を高速空気で吹き飛ばすことができる。
【００２９】
傘布１ｅの水滴除去が終了し、使用者が傘除水機２の停止スイッチ（図示せず）を押すと、ブロワ１０の動作が停止する。使用者は傘の手元１ｂを持ったまま傘挿入口４へ戻し、傘１を傘挿入口４から抜取る方向へ引くと傘挿入口４の内部に設けられたテーパ部１３により露先１ｆが中棒１ａに向かってすぼまり、傘挿入口４より傘１を容易に抜取ることができる。傘１の引き抜きにともない、移動部はおもり２２に付勢されて上方へ移動し、完全に抜き取られると石突保持部１２は傘用ガイドレール１５に沿って可動範囲の上端まで移動し、金属片２０により傘挿入口４側へ傾き待機状態へと復帰する。
【００３０】
図９は身長の低い使用者が傘除水機２を使用する状況を説明する説明図である。傘除水機２を使用する対象としては、幼児は対象外とし小学生以上から大人を対象としている。７歳〜８歳の低学年の小学生の体格は大きく差があるが、文献（Japanese body size data 1992-1994  社団法人人間生活工学研究センター）によれば平均値で、身長は概ね１２００〜１３００ｍｍであり、眼の高さＰは概ねＰ＝１０７０〜１１２０ｍｍ、腋下高さＱは概ねＱ＝８５０〜９００ｍｍ、概ね掌の中心である指節点からの腕の長さＲは概ねＲ＝３５０〜４００ｍｍである。傘挿入口４の開口の中心の高さＳは使用者の眼の高さＰ以下でないと傘挿入口４が見づらいとともに除水中の傘１の様子がよく見えないため除水具合が分からず非常に使い辛くなってしまう。そのため、傘挿入口４の開口の中心高さ寸法ＳはＳ≦１１００ｍｍ以下に設定することで低学年の小学生でも使用し易くしている。
【００３１】
また、傘挿入口４から傘１を露先１ｆまで挿入した姿勢や除水時の姿勢はできるだけ鉛直で立った姿勢とすることで、傘除水機２の設置に必要な占有面積を小さくすることができる。そのため、傘挿入口４から斜めに挿入された傘１は、使用者から見て傘挿入口４より奥に位置する上部保持部８へ傘を移動させられることで除水時にはほぼ鉛直になり、挿入時の姿勢は傘１の挿入性を良くするために傾斜させているが、除水姿勢はほぼ鉛直となっている。また、傘を効率よく除水するためには、傘の布が襞状になっているため折り重なりあった襞状の間にも高速空気を当てる必要があることから、傘の石突付近から傘の露先１ｆに向かって襞状の折り目方向に沿って高速空気噴出させるため、ノズル１１や送気室６を除水姿勢の傘１の下に配置する必要があり、また除水した水滴を処理する排水室７も自然に流下してくる水滴を集め排水するために傘１より下に配置する必要がある。以上から設置に必要な占有床面積を極力小さくし、除水性能の良い傘除水機２を得るためには、大人用の傘の石突１ｃから手元（もち手部）１ｂの下端までの長さは長いもので８００ｍｍ程度あることから、その傘１より下にノズル１１や送気室６や排水室７に１０リットル程度の排水タンクを配置させるので、傘除水機２の高さは概ね１２００ｍｍは必要となる。低学年の小学生の腋下高さＱは概ねＱ＝８５０〜９００ｍｍであるため、傘除水機２の高さは概ね１２００ｍｍであると低学年の小学生が腕を伸ばし上部保持部８に傘１を保持させようとすると、腕が箱体３の側部３ｄである正面と箱体３の上面との角に当たってしまい手が届かないなど非常に使い勝手が悪い。そのため、箱体３の側部３ｄである正面と箱体３の上面をつなぐ角をカットし傾斜部３ａを設け、その傾斜部３ａに傘挿入口４が設けている。尚、傾斜部３ａは平面でなくても曲面でもよい。
【００３２】
また、傾斜部３ａが傾斜している方向にある箱体３の側部３ｄである正面と上部保持部８までの水平方向の距離ＴはＴ＝３５０ｍｍ以下に設定されている。したがって、小学生の掌の中心からの腕の長さＲは概ねＲ＝３５０〜４００ｍｍなので手が届く距離であり使用上問題がない。
【００３３】
図１０は実施の形態１において、箱体３の別の形状を示す概観斜視図であり、図１１は実施の形態１において、箱体３の別の形状を示す側面図である。図１０に示すように、箱体３の上部は水平な面がなく傾斜部３ａだけでもよく、また箱体３の側部３ｄは曲面の形状でもよい。また、図１１に示すように傾斜部３ａは平面形状ではなく曲面形状でもよい。
【００３４】
以上の構成によれば、使用者が普通に動作して傘を挿入するときの傘の角度が水平面に対し概ね０°〜９０°の挿入角度であるため、傘挿入口４を斜め上方に向かって箱体３の側部３ｄである正面側に傾斜させ、その傘挿入口４の傾斜角度を水平方向に対し概ね４５°とすることで、傘１の挿入角度が０°でも支障なく挿入でき、挿入角度が０°〜９０°を超えてしまっても挿入することもでき、傘１の挿入性を向上させることができる。また、傘を挿入角度０°（水平）に挿入しても非常に挿入しやすいため、傘を鉛直近くに立てて挿入する必要がなくなり、傘からの雫が使用者にかかったり、鉛直角度近くから挿入しようとして手が届かないために傘を持ち替え、傘布を握ってしまい手が濡れてしまうことも防止できる。また、傘挿入口４が傾斜しているので、傘挿入口４の高さより眼の位置が低い人でも傘挿入口４を目視することができるため、傘を傘挿入口４に支障なく挿入することができる。
【００３５】
また、傘除水機２の上部の角をカットし傾斜部３ａを設けることで、小学生などの身長が大人に比べて低い人が使用しても、箱体３の側部３ｄである正面と箱体３の上面をつなぐ角が腕に当たることなく腕を伸ばすことができ、傘除水機２に挿入した傘１を除水するために上部保持部へ支障なく移動させることができる。
【００３６】
また、前記上部保持部８を前記傘挿入口４より箱体３の側部３ｄである背面側に設け、傘１を箱体３の側部３ｄである正面の斜め上方から挿入し除水姿勢に傘姿勢を変化させることで、傘挿入口４から傘１が移動するため傘布１ｅからの水滴が傘挿入口４から使用者へ飛散することを防止できる。また、鉛直方向に姿勢を変化させることで姿勢変化にともない新たに占有床面積を大きくすることないため、設置の占有床面積が小さい傘除水機２を得ることができる。
【００３７】
また、傘挿入口４の開口の中心の高さを概ね１１００ｍｍ以下とすることで、小学生などの身長が大人に比べて低い人が使用しても、傘挿入口４が眼の高さと概ね同等以下になるため傘挿入口４が見やすいとともに除水中の傘１の様子を目視でき、小学生などの低い人でも使い勝手を損なうことがない。
【００３８】
また、箱体３の側部３ｄである正面から上部保持部８の距離を概ね３５０ｍｍ以下とすることで、小学生などの身長が大人に比べて低い人が使用しても、傘除水機２の前に立って腕をのばせば上部保持部に十分届くことができ、傘挿入口４に挿入した傘１を除水するため上部保持部８へ移動させることを支障なく行うことができる。
【００３９】
また、傘挿入口４が斜め上方向きに開口し、傘挿入口４の下端は上部保持部８よりも下方に位置するため、使用者は除水作業中の傘布１ｅの除水状態を傘挿入口４から目視しながら使用することができ、除水状態を確認しながら使用することができる。
【００４０】
また、傘１が未挿入である待機状態では凹形状の石突保持部１２が傘挿入口４の近傍で傘挿入口４に向かって正対しているため、使用者が簡単に目視して傘１の石突１ｃを石突保持部１２に挿入することができ使い勝手がよい。また待機状態で傘挿入口４に正対していた石突保持部１２が、挿入される傘１により除水姿勢では上部保持部８に正対して回転中心軸Ａの軸方向に向いているため、挿入時と除水時の傘の姿勢が変化しても、除水時に傘１が回転中心軸Ａを中心に３６０°回転しても、石突保持部の凹形状の向きが傘に向かっているので石突１ｃが石突保持部１２から外れることがなく、除水時にノズル１１に対し傘１を所定の位置（距離Ｌ）に安定して確保し、傘１の石突１ｃ付近から露先１ｆに向かって高速空気を当てることができるので、傘１の石突１ｃ付近から露先１ｆまでの傘布１ｅ全体の除水を効率的に行うことができる。
【００４１】
また、石突保持部１２は凹形状を傘の石突１ｃより十分大きいので使用者が傘の石突１ｃを石突保持部１２に挿入するとき、多少位置がずれても石突保持部１２から外れることもなく、さらに凹形状を中心部に向かって窄まり部１２ｂをもった先細りのすり鉢形状とすることで、自然に石突保持部１２の中心に傘の石突１ｃが配置されるため、石突保持部１２が大きくなっても除水時にノズル１１に対し傘１を所定の位置（距離Ｌ）に確保できるため、使用者の使い勝手が向上するともともに傘の除水を効率的に行うことができる。
【００４２】
また、石突保持部１２の凹形状を傘挿入口４の開口と同等程度の大きさにして傘挿入口４近傍に正対させているので、使用者がどのように傘１を挿入しても石突保持部１２で石突１ｃを受けることができ、更に使い勝手を向上させることができる。
【００４３】
また、待機状態に石突保持部１２が傘挿入口４とほぼ同じ高さに位置し傘挿入口４の口元近傍にあるため、水平面に対し概ね０°〜９０°の挿入角度範囲まで傘を挿入することができ、使用者の背の高さや傘１の長さに応じて、任意に使い勝手のよい角度で挿入することができる。
【００４４】
また、石突保持部１２はノズル１１に面する側の凹形状の壁のみノズル１１からの空気噴出方向と平行な形状で他の凹形状の壁に比べ急角度で立ち上げた立上部１２ｃ設け、石突保持部１２の中心からの外形寸法を小さくすることで、傘の姿勢変化による石突保持部１２からの石突１ｃの外れ防止を実現するとともにノズル１１からの噴流が石突保持部１２で邪魔されることなく石突１ｃ付近に当てることができ、傘１の石突１ｃ付近から露先１ｆまでの傘布１ｅ全体の除水を効率的に行うことができる。
【００４５】
また、ノズル１１の噴出方向とガイドレール１５の方向と回転中心軸Ａが概ね平行に設けられ、傘用ガイドレール１５に沿って石突保持部１２が移動可能に構成されているので、傘１の長さが変わっても除水時にノズル１１に対し傘１を所定の位置（距離Ｌ）を保つとともに、傘１に対して常にほぼ平行にノズル１１からの高速空気を当てることができる。そのため石突１ｃ付近から傘１に平行に露先１ｆに向かってノズル１１からの高速空気を当てることができるので、傘布１ｅの折りたたまれた襞状の間にその折り方向に沿ってノズル１１からの高速空気を当てることができ、傘の長さに影響されることなく常に傘布１ｅ全体に対し良好な除水性能を得ることができる。
【００４６】
また、傘１を除水室５へ挿入していく過程において、自然に傘１を除水姿勢に近い姿勢に変化させる（傘の角度が鉛直方向に近づく）ことができるため、除水姿勢への動作を極めて簡便に短時間で行うことができる。傘１を挿入姿勢から除水姿勢へ変更する動作を使用者の簡易的な動作で実現することにより、姿勢変更のための構造や部品が不要となり姿勢変化に伴う電力も不要で、傘除水機２の消費電力の抑制や構造の簡素化による長期信頼性確保や製造コストの抑制を図ることができる。
【００４７】
また、ノズル１１の位置は、傘挿入口４側からみて、除水姿勢の回転中心軸Ａよりも奥になっているため、除水時に傘挿入口４とノズル１１との間に傘１があるので傘１が遮壁の役割を果たすこととなり、傘１から吹き飛ばされた水滴が傘挿入口４や連通部９へ飛散することを防止し、傘挿入口４や連通部９からの水滴噴出しを防止している。傘１の中心軸に対してノズル１１と傘挿入口４が１８０°反対の位置ではなくても傘をたたんだ状態で傘布１ｅの内側に空気が入り膨らんで広がる状態の傘布１ｅが傘挿入口４とノズル１１との間にあれば、同様の効果が得られる。またノズル１１からの高速空気の噴出方向の延長上に傘挿入口４や連通部９の開口がないため、傘挿入口４や連通部９に直接水滴が向かわないようにすることができ、更に除水時に使用者への水滴がかかることを効果的に防ぐことができる。
【００４８】
なお、この実施の形態１では、傘挿入口４を円形としているがこれに限られず、楕円形や多角形であっても問題はない。
【００４９】
また、ノズル１１を１ヶ所としているがこれに限られず、除水時に傘挿入口４とノズル１１との間に傘１があれば複数のノズル１１を配置してもよく、複数のノズル１１の開口形状・開口面積・長さを同一とはせず、傘布１ｅのどの位置を狙うかによって寸法・形状を変更してもよい。
【００５０】
また、本実施の形態１では、付勢手段としておもり２２を用いているがこれに限らず、バネや油圧ダンパを用いてもよい。
【００５１】
また、箱体３内に傘用ガイドレール１５およびおもり用ガイドレール１６を設置しているが、これらに水滴付着を防止するカバーを設けてもよい。傘布１ｅから飛散した水滴が傘用ガイドレール１５およびおもり用ガイドレール１６に付着することを防止することができ、動作不良のない長期信頼性のある傘除水機を得ることができる。
【００５２】
また、連通部４の幅方向へ可動する凸部８ａとして板ばねを使用しているがこれに限られず、連通部４の幅方向へ可動し傘１の中棒１ａまたは手元１ｂが通過できる別の機構部品にでもよい。
【００５３】
また、傘挿入口４の内側に設けるテーパ部１３の形状を一様なテーパ角度としているがこれに限られず、角度を徐変させてもよい。また、テーパ部１３を別部品で構成し、この部分のみ表面が極めて滑らかな材質で製造してもよく、傘１の抜き取り操作を更に容易することができる。
【００５４】
また、石突保持部１２に金属片２０を設けて重心を調整しているがこれに限られず、石突保持部１２の形状や肉厚に偏りを持たせれば金属片２０を廃止することもできる。また、石突保持部１２と連結部材１８の間に可動性のばねを設け蝶番１９も同時に廃止してもよい。
【００５５】
また、傘用ガイドレール１５に沿って石突保持部１２を移動させる手段として、傘用ブラケット１７に車輪を設け傘用ガイドレール１５に沿って車輪が移動するガイドレール１５と車輪の機構でよいが、傘用ガイドレール１５をシリンダーに置き換え、ピストン上に傘用ブラケット１７を設けシリンダーとピストンによる機構でもよい。また、平行四辺形で伸縮するパンタグラフ形状のリンク機構を用いて、パンタグラフ上に傘用ブラケット１７を設けてもよい。また、おもり用ガイドレール１６とおもり用ブラケット２１も同様である。
【産業上の利用可能性】
【００５６】
傘に付着した水分を除く装置として産業上の利用可能性がある。
【符号の説明】
【００５７】
１  傘
１ａ  中棒
１ｂ  手元（持ち手部）
１ｃ  石突
１ｄ  親骨
１ｅ  傘布
１ｆ  露先
２  傘除水機
３  箱体
３ａ  傾斜部
３ｂ  隔壁
３ｃ  蓋部
３ｄ  側部
４  傘挿入口
５  除水室
６  送気室
７  排水室
８  上部保持部
８ａ  凸部
９  連通部
１０  ブロワ
１１  ノズル
１２  石突保持部
１２ａ  底面
１２ｂ  窄まり部
１２ｃ  立上部
１３  テーパ部
１４  排水タンク
１５  傘用ガイドレール  （移動手段）
１６  おもり用ガイドレール
１７  傘用ブラケット（移動手段）
１８  連結部材
１９  蝶番  （石突保持部向変更手段）
２０  金属片
２１  おもり用ブラケット  （移動手段）
２２  おもり
２３  ケーブル
２４  滑車
２５  吸気口
２６  フィルタ
２７  吸音材
２８  パッキン
２９  防振材
３０  傘用ガイドレール  （移動手段、石突保持部向変更手段）
３０ａ  下側部  （移動手段、石突保持部向変更手段）
３０ｂ  上側部  （移動手段、石突保持部向変更手段）
３０ｃ  曲率部（円弧）  （移動手段、石突保持部向変更手段）
３１  第１の傘用ガイドレール  （移動手段）
３２  第２の傘用ガイドレール  （石突保持部向変更手段）
３３  第１の傘用ブラケット  （石突移動手段）
３４  第２の傘用ブラケット  （石突保持部向変更手段）
３５  ばね
３６  排出口
３７  風向変更板
３８  水切板
３９  回転支持部
４０  石突固定部材
４１  傘ガイド
５０  突起部
θ  開口角度
Ａ  除水姿勢の回転中心軸
Ｂ  凸部開口幅
Ｃ  開口幅
Ｌ  距離
Ｐ  眼の高さ
Ｑ  脇下高さ
Ｒ  指節点からの腕の長さ
Ｓ  開口の中心の高さ
Ｔ  側部３ｄと上部保持部８との水平方向の距離
【図１】
2011075210.tif 000003
【図２】
2011075210.tif 000004
【図３】
2011075210.tif 000005
【図４】
2011075210.tif 000006
【図５】
2011075210.tif 000007
【図６】
2011075210.tif 000008
【図７】
2011075210.tif 000009
【図８】
2011075210.tif 000010
【図９】
2011075210.tif 000011
【図１０】
2011075210.tif 000012
【図１１】
2011075210.tif 000013